【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
患者に対して発行された処方せんにより処方された薬剤の調剤予約を要求する調剤予約要求であって、前記患者を特定する識別情報、前記処方せんに関する処方せん情報、および調剤の予約を要求する前記薬剤を特定するための薬剤特定情報が含まれる調剤予約要求を生成する生成手段と、
前記調剤予約要求を送信する送信手段と
を備える情報処理装置。
【請求項２】
前記処方せん情報を管理するサーバに対して、前記識別情報を送信させることで、前記サーバから前記患者の前記処方せん情報を取得する取得手段をさらに備える
請求項１に記載の情報処理装置。
【請求項３】
前記薬剤特定情報は、前記薬剤の形態を特定する情報、またはジェネリックへの変更の可否を示す情報である
請求項２に記載の情報処理装置。
【請求項４】
前記取得手段は、前記サーバから、前記患者に対して処方された前記薬剤に関する調剤履歴情報をさらに取得し、
前記調剤履歴情報に含まれている、過去に前記患者が薬剤の調剤を依頼した薬局の一覧を表示する表示手段をさらに備え、
前記調剤予約要求には、前記薬局の一覧から選択された、前記薬剤の調剤予約を要求する薬局を特定する薬局特定情報がさらに含まれる
請求項２に記載の情報処理装置。
【請求項５】
患者に対して発行された処方せんにより処方された薬剤の調剤予約を要求する調剤予約要求であって、前記患者を特定する識別情報、前記処方せんに関する処方せん情報、および調剤の予約を要求する前記薬剤を特定するための薬剤特定情報が含まれる調剤予約要求を生成する生成手段と、
前記調剤予約要求を送信する送信手段と
を備える情報処理装置の情報処理方法であって、
前記生成手段が前記調剤予約要求を生成し、
前記送信手段が前記調剤予約要求を送信する
ステップを含む情報処理方法。
【請求項６】
患者に対して発行された処方せんにより処方された薬剤の調剤予約を要求する調剤予約要求であって、前記患者を特定する識別情報、前記処方せんに関する処方せん情報、および調剤の予約を要求する前記薬剤を特定するための薬剤特定情報が含まれる調剤予約要求を生成し、
前記調剤予約要求を送信する
ステップを含む処理をコンピュータに実行させるプログラム。
【請求項７】
患者に対して発行された処方せんに関する処方せん情報、および前記患者に対して処方された薬剤に関する調剤履歴情報と、前記患者を特定する識別情報とを対応付けて記録する記録手段と、
前記識別情報を含む、前記処方せん情報、および前記調剤履歴情報の送信の要求が受信された場合、前記要求に応じて、前記識別情報に対応付けられて記録されている前記処方せん情報、および前記調剤履歴情報を、前記要求を送信してきた装置に送信する送信手段と、
前記装置から送信された、前記処方せんにより処方された薬剤の調剤予約を要求する調剤予約要求であって、少なくとも前記識別情報、前記処方せん情報、および薬剤の調剤予約を要求する薬局を特定する薬局特定情報が含まれる調剤予約要求を受信する受信手段と、
前記調剤予約要求に基づいて、前記処方せんを特定する処方せん特定情報、調剤予約を要求する薬剤を特定するための薬剤特定情報、および前記薬局特定情報を含む調剤予約情報を生成し、前記調剤予約情報を前記識別情報と対応付けて前記記録手段に記録させる生成手段と
を備え、
前記送信手段は、前記調剤予約情報を、前記薬局特定情報により特定される薬局の装置に送信し、前記薬局の装置の要求に応じて、前記調剤予約情報に含まれる前記処方せん特定情報により特定される処方せんの前記処方せん情報を前記薬局の装置に送信する
情報処理装置。
【請求項８】
前記薬剤特定情報は、前記薬剤の形態を特定する情報、またはジェネリックへの変更の可否を示す情報である
請求項７に記載の情報処理装置。
【請求項９】
患者に対して発行された処方せんに関する処方せん情報、および前記患者に対して処方された薬剤に関する調剤履歴情報と、前記患者を特定する識別情報とを対応付けて記録する記録手段と、
前記識別情報を含む、前記処方せん情報、および前記調剤履歴情報の送信の要求が受信された場合、前記要求に応じて、前記識別情報に対応付けられて記録されている前記処方せん情報、および前記調剤履歴情報を、前記要求を送信してきた装置に送信する送信手段と、
前記装置から送信された、前記処方せんにより処方された薬剤の調剤予約を要求する調剤予約要求であって、少なくとも前記識別情報、前記処方せん情報、および薬剤の調剤予約を要求する薬局を特定する薬局特定情報が含まれる調剤予約要求を受信する受信手段と、
前記調剤予約要求に基づいて、前記処方せんを特定する処方せん特定情報、調剤予約を要求する薬剤を特定するための薬剤特定情報、および前記薬局特定情報を含む調剤予約情報を生成し、前記調剤予約情報を前記識別情報と対応付けて前記記録手段に記録させる生成手段と
を備える情報処理装置の情報処理方法であって、
前記記録手段が、前記処方せん情報および前記調剤履歴情報と前記識別情報とを対応付けて記録し、
前記送信手段が前記要求に応じて、前記処方せん情報および前記調剤履歴情報を送信し、
前記受信手段が前記調剤予約要求を受信し、
前記生成手段が前記調剤予約情報を生成し、
前記送信手段が前記調剤予約情報を、前記薬局特定情報により特定される薬局の装置に送信し、前記薬局の装置の要求に応じて、前記調剤予約情報に含まれる前記処方せん特定情報により特定される処方せんの前記処方せん情報を前記薬局の装置に送信する
ステップを含む情報処理方法。
【請求項１０】
患者に対して発行された処方せんに関する処方せん情報、および前記患者に対して処方された薬剤に関する調剤履歴情報と、前記患者を特定する識別情報とを対応付けて記録し、
前記識別情報を含む、前記処方せん情報、および前記調剤履歴情報の送信の要求が受信された場合、前記要求に応じて、前記識別情報に対応付けられて記録されている前記処方せん情報、および前記調剤履歴情報を、前記要求を送信してきた装置に送信し、
前記装置から送信された、前記処方せんにより処方された薬剤の調剤予約を要求する調剤予約要求であって、少なくとも前記識別情報、前記処方せん情報、および薬剤の調剤予約を要求する薬局を特定する薬局特定情報が含まれる調剤予約要求を受信し、
前記調剤予約要求に基づいて、前記処方せんを特定する処方せん特定情報、調剤予約を要求する薬剤を特定するための薬剤特定情報、および前記薬局特定情報を含む調剤予約情報を生成し、前記調剤予約情報を前記識別情報と対応付けて記録させ、
前記調剤予約情報を、前記薬局特定情報により特定される薬局の装置に送信し、前記薬局の装置の要求に応じて、前記調剤予約情報に含まれる前記処方せん特定情報により特定される処方せんの前記処方せん情報を前記薬局の装置に送信する
ステップを含む処理をコンピュータに実行させるプログラム。
【請求項１１】
患者に対して発行された処方せんに関する処方せん情報と、前記患者を特定する識別情報とを対応付けて管理するサーバから、前記処方せん情報に含まれている前記処方せんを特定する処方せん特定情報、および調剤の予約を要求する薬剤を特定するための薬剤特定情報を含む調剤予約情報を受信する受信手段と、
前記調剤予約情報に含まれる前記処方せん特定情報に基づいて、前記サーバから前記処方せん特定情報により特定される前記処方せんの前記処方せん情報を取得する取得手段と、
前記薬剤の調剤の予約を受理する旨の情報を前記サーバに送信する送信手段と
を備える情報処理装置。
【請求項１２】
前記薬剤特定情報は、前記薬剤の形態を特定する情報、またはジェネリックへの変更の可否を示す情報である
請求項１１に記載の情報処理装置。
【請求項１３】
前記所定の薬局における薬剤の在庫状況を示す在庫情報を記録する記録手段をさらに備え、
前記送信手段は、前記在庫情報により示される前記薬剤の在庫数量が、前記処方せん情報に対応する前記処方せんによって処方された前記薬剤の数量よりも多い場合、前記薬剤の調剤の予約を受理する旨の情報を送信する
請求項１１に記載の情報処理装置。
【請求項１４】
患者に対して発行された処方せんに関する処方せん情報と、前記患者を特定する識別情報とを対応付けて管理するサーバから、前記処方せん情報に含まれている前記処方せんを特定する処方せん特定情報、および調剤の予約を要求する薬剤を特定するための薬剤特定情報を含む調剤予約情報を受信する受信手段と、
前記調剤予約情報に含まれる前記処方せん特定情報に基づいて、前記サーバから前記処方せん特定情報により特定される前記処方せんの前記処方せん情報を取得する取得手段と、
前記薬剤の調剤の予約を受理する旨の情報を前記サーバに送信する送信手段と
を備える情報処理装置の情報処理方法であって、
前記受信手段が前記調剤予約情報を受信し、
前記取得手段が前記処方せん情報を取得し、
前記送信手段が前記薬剤の調剤の予約を受理する旨の情報を前記サーバに送信する
ステップを含む情報処理方法。
【請求項１５】
患者に対して発行された処方せんに関する処方せん情報と、前記患者を特定する識別情報とを対応付けて管理するサーバから、前記処方せん情報に含まれている前記処方せんを特定する処方せん特定情報、および調剤の予約を要求する薬剤を特定するための薬剤特定情報を含む調剤予約情報を受信し、
前記調剤予約情報に含まれる前記処方せん特定情報に基づいて、前記サーバから前記処方せん特定情報により特定される前記処方せんの前記処方せん情報を取得し、
前記薬剤の調剤の予約を受理する旨の情報を前記サーバに送信する
ステップを含む処理をコンピュータに実行させるプログラム。
【手続補正２】
【補正対象書類名】明細書
【補正対象項目名】００１６
【補正方法】変更
【補正の内容】
【００１６】
本発明の第２の側面の情報処理装置は、患者に対して発行された処方せんに関する処方せん情報、および前記患者に対して処方された薬剤に関する調剤履歴情報と、前記患者を特定する識別情報とを対応付けて記録する記録手段と、前記識別情報を含む、前記処方せん情報、および前記調剤履歴情報の送信の要求が受信された場合、前記要求に応じて、前記識別情報に対応付けられて記録されている前記処方せん情報、および前記調剤履歴情報を、前記要求を送信してきた装置に送信する送信手段と、前記装置から送信された、前記処方せんにより処方された薬剤の調剤予約を要求する調剤予約要求であって、少なくとも前記識別情報、前記処方せん情報、および薬剤の調剤予約を要求する薬局を特定する薬局特定情報が含まれる調剤予約要求を受信する受信手段と、前記調剤予約要求に基づいて、前記処方せんを特定する処方せん特定情報、調剤予約を要求する薬剤を特定するための薬剤特定情報、および前記薬局特定情報を含む調剤予約情報を生成し、前記調剤予約情報を前記識別情報と対応付けて前記記録手段に記録させる生成手段とを備え、前記送信手段は、前記調剤予約情報を、前記薬局特定情報により特定される薬局の装置に送信し、前記薬局の装置の要求に応じて、前記調剤予約情報に含まれる前記処方せん特定情報により特定される処方せんの前記処方せん情報を前記薬局の装置に送信する。
【手続補正３】
【補正対象書類名】明細書
【補正対象項目名】００１８
【補正方法】変更
【補正の内容】
【００１８】
本発明の第２の側面の情報処理方法またはプログラムは、患者に対して発行された処方せんに関する処方せん情報、および前記患者に対して処方された薬剤に関する調剤履歴情報と、前記患者を特定する識別情報とを対応付けて記録し、前記識別情報を含む、前記処方せん情報、および前記調剤履歴情報の送信の要求が受信された場合、前記要求に応じて、前記識別情報に対応付けられて記録されている前記処方せん情報、および前記調剤履歴情報を、前記要求を送信してきた装置に送信し、前記装置から送信された、前記処方せんにより処方された薬剤の調剤予約を要求する調剤予約要求であって、少なくとも前記識別情報、前記処方せん情報、および薬剤の調剤予約を要求する薬局を特定する薬局特定情報が含まれる調剤予約要求を受信し、前記調剤予約要求に基づいて、前記処方せんを特定する処方せん特定情報、調剤予約を要求する薬剤を特定するための薬剤特定情報、および前記薬局特定情報を含む調剤予約情報を生成し、前記調剤予約情報を前記識別情報と対応付けて記録させ、前記調剤予約情報を、前記薬局特定情報により特定される薬局の装置に送信し、前記薬局の装置の要求に応じて、前記調剤予約情報に含まれる前記処方せん特定情報により特定される処方せんの前記処方せん情報を前記薬局の装置に送信するステップを含む。
【手続補正４】
【補正対象書類名】明細書
【補正対象項目名】００１９
【補正方法】変更
【補正の内容】
【００１９】
本発明の第２の側面においては、患者に対して発行された処方せんに関する処方せん情報、および前記患者に対して処方された薬剤に関する調剤履歴情報と、前記患者を特定する識別情報とが対応付けて記録され、前記識別情報を含む、前記処方せん情報、および前記調剤履歴情報の送信の要求が受信された場合、前記要求に応じて、前記識別情報に対応付けられて記録されている前記処方せん情報、および前記調剤履歴情報が、前記要求を送信してきた装置に送信され、前記装置から送信された、前記処方せんにより処方された薬剤の調剤予約を要求する調剤予約要求であって、少なくとも前記識別情報、前記処方せん情報、および薬剤の調剤予約を要求する薬局を特定する薬局特定情報が含まれる調剤予約要求が受信され、前記調剤予約要求に基づいて、前記処方せんを特定する処方せん特定情報、調剤予約を要求する薬剤を特定するための薬剤特定情報、および前記薬局特定情報を含む調剤予約情報が生成され、前記調剤予約情報が前記識別情報と対応付けて記録され、前記調剤予約情報が、前記薬局特定情報により特定される薬局の装置に送信され、前記薬局の装置の要求に応じて、前記調剤予約情報に含まれる前記処方せん特定情報により特定される処方せんの前記処方せん情報が前記薬局の装置に送信される。
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】削除
【補正の内容】
【手続補正２１】
【補正対象書類名】明細書
【補正対象項目名】００４１
【補正方法】削除
【補正の内容】
【手続補正２２】
【補正対象書類名】明細書
【補正対象項目名】００４２
【補正方法】削除
【補正の内容】
【手続補正２３】
【補正対象書類名】明細書
【補正対象項目名】００４３
【補正方法】削除
【補正の内容】
【手続補正２４】
【補正対象書類名】明細書
【補正対象項目名】００４４
【補正方法】削除
【補正の内容】
【手続補正２５】
【補正対象書類名】明細書
【補正対象項目名】００４５
【補正方法】変更
【補正の内容】
【００４５】
本発明の第１の側面乃至第３の側面によれば、処方せんやお薬手帳を電子化した場合に、利便性を向上させることができる。
【手続補正２６】
【補正対象書類名】明細書
【補正対象項目名】０２２４
【補正方法】変更
【補正の内容】
【０２２４】
なお、医師等が病院内装置３２を操作して入力された、ジェネリックを希望するか否かを示す情報、および希望する薬剤形状を示す情報が調剤予約要求に含まれていてもよいと説明したが、これらの情報がデータサーバ９１により生成されてもよい。そのような場合、データサーバ９１は、例えば患者基本情報テーブル２５１を参照することにより、ジェネリックを希望するか否かを示す情報、および希望する薬剤形状を示す情報を生成し、それらの情報が含まれる調剤予約情報を生成する。